(57)【要約】【課題】  ラベルイメージを整合させ、かつ適切にスクロール表示することができるデータ表示装置のデータ表示方法等を提供する。【解決手段】  カーソル１１１を表示させると共にこれを移動させるカーソル表示手段と、カーソル１１１のカーソル位置に基づいて、ラベルイメージをプレビュー表示させるプレビュー表示制御手段と、を備え、プレビュー表示制御手段は、カーソル１１１が墨字関連表記１０２上に位置するときには、カーソル１１１が指し示す墨字文字がプレビュー領域１１３の所定位置に表示されるようにプレビュー表示させ、カーソル１１１が点字関連表記１３１上に位置するときには、カーソル１１１が指し示す点字または墨字訳に対応する点字がプレビュー領域１１３の所定位置に表示されるように、プレビュー表示させる。【選択図】  図６
2006289796.tif 000002
【特許請求の範囲】
【請求項１】
墨字文字と点字とから成る複合ラベルを作成するために用いられ、
入力された前記墨字文字を所定の墨字関連領域に墨字表記する墨字関連表記と、
入力された前記点字を所定の点字関連領域に点字表記する、または前記点字の墨字訳を前記点字関連領域に墨字表記する点字関連表記と、
入力された前記墨字文字および前記点字に基づいて、作成される前記複合ラベルのラベルイメージを所定のプレビュー領域に表示するプレビュー表示と、を同一の表示画面上に表示させるデータ表示装置のデータ表示方法において、
前記プレビュー表示をスクロールさせるためのカーソルを前記墨字関連領域および前記点字関連領域から成る入力文字表示領域上に表示させると共に、表示させた前記カーソルを移動させるカーソル表示工程と、
前記カーソルのカーソル位置に基づいて、前記ラベルイメージを前記プレビュー表示させるプレビュー表示制御工程と、を備え、
前記プレビュー表示制御工程は、前記カーソルが前記墨字関連表記上に位置するときには、前記カーソルが指し示す前記墨字文字のイメージが前記プレビュー領域の所定位置に表示されるように、前記ラベルイメージを前記プレビュー表示させ、
前記カーソルが前記点字関連表記上に位置するときには、前記カーソルが指し示す前記点字または前記墨字訳に対応する点字のイメージが前記プレビュー領域の所定位置に表示されるように、前記ラベルイメージを前記プレビュー表示させることを特徴とするデータ表示装置のデータ表示方法。
【請求項２】
墨字文字と点字とから成る複合ラベルを作成するために用いられ、
入力された前記墨字文字を所定の墨字関連領域に墨字表記する墨字関連表記と、
入力された前記点字を所定の点字関連領域に点字表記する、または前記点字の墨字訳を前記点字関連領域に墨字表記する点字関連表記と、
入力された前記墨字文字および前記点字に基づいて、作成される前記複合ラベルのラベルイメージを所定のプレビュー領域に表示するプレビュー表示と、を同一の表示画面上に表示させるデータ表示装置において、
前記プレビュー表示をスクロールさせるためのカーソルを前記墨字関連領域および前記点字関連領域から成る入力文字表示領域上に表示させると共に、表示させた前記カーソルを移動させるカーソル表示手段と、
前記カーソルのカーソル位置に基づいて、前記ラベルイメージを前記プレビュー表示させるプレビュー表示制御手段と、を備え、
前記プレビュー表示制御手段は、前記カーソルが前記墨字関連表記上に位置するときには、前記カーソルが指し示す前記墨字文字のイメージが前記プレビュー領域の所定位置に表示されるように、前記ラベルイメージを前記プレビュー表示させ、
前記カーソルが前記点字関連表記上に位置するときには、前記カーソルが指し示す前記点字または前記墨字訳に対応する点字のイメージが前記プレビュー領域の所定位置に表示されるように、前記ラベルイメージを前記プレビュー表示させることを特徴とするデータ表示装置。
【請求項３】
請求項２に記載のデータ表示装置と、
前記墨字文字を編集入力する墨字編集入力手段と、
前記点字を編集入力する点字編集入力手段と、を備え、入力された前記墨字文字および前記点字に基づいて、前記複合ラベルを作成するためのラベルデータを生成するデータ生成装置において、
前記カーソルは、前記墨字関連表記および前記点字関連表記における編集入力位置を指標しており、
前記カーソルのカーソル位置に基づいて、前記墨字文字および前記点字のいずれが編集入力可能な状態であるかを指標表示する指標表示手段をさらに備えたことを特徴とするデータ生成装置。
【請求項４】
前記カーソルが前記点字関連表記上に位置するときに、所定の操作をトリガとして前記点字を一括削除する点字一括削除手段をさらに備えていることを特徴とする請求項３に記載のデータ生成装置。
【請求項５】
請求項３または４に記載のデータ生成装置と、
入力された前記墨字文字に基づいて、処理シートに墨字印刷を行う印刷装置と、
入力された前記点字に基づいて、前記処理シートに点字打刻を行う打刻装置と、を備えたことを特徴とするシート処理装置。
【発明の詳細な説明】
【技術分野】
【０００１】
本発明は、入力された墨字文字および点字に基づいて、作成されるラベル（複合ラベル）のラベルイメージを所定のプレビュー領域にプレビュー表示させるデータ表示装置のデータ表示方法、データ表示装置、これを備えたデータ生成装置、およびシート処理装置に関する。
【背景技術】
【０００２】
従来から、同一の処理シートに対して、墨字印刷と点字打刻との両方を行うシート処理装置が知られており、墨字および点字を併記したラベルを作成できるようになっている（特許文献１参照）。
【０００３】
また、一般的なワープロ等では、当該ワープロで作成した文書等の印刷結果を事前にイメージできるように、表示画面上に印刷結果をプレビュー表示（イメージ表示）することが可能であり、このようなプレビュー表示機能を上記のようなシート処理装置に適用して、作成するラベルのラベルイメージを表示画面上に表示させることが考えられる。この場合、プレビュー表示によるラベルイメージと共に、墨字印刷のために入力された墨字文字を表記する墨字関連表記と、点字打刻のために入力された点字またはその墨字訳（を示す墨字文字）を表記させる点字関連表記と、を表示させると、入力した墨字文字および点字と、その出力結果を指標するラベルイメージと、を相互に関連付けした状態で把握することができ、ユーザの利便性を向上させることが可能である。
【特許文献１】特開２００１−８８３５８号公報
【発明の開示】
【発明が解決しようとする課題】
【０００４】
ところで、シート処理装置に備えられている表示画面が小型なものである場合には、プレビュー表示により表示画面上に全ラベルイメージを表示することは困難であり、ラベルイメージをスクロール表示させることが想定される。そして、スクロール表示されるラベルイメージと、墨字関連表記および点字関連表記による表示とを対応付けするため、表示画面上にカーソルを表示させ、墨字関連表記および点字関連表記におけるカーソル位置に基づいて、ラベルイメージをスクロール表示させることが考えられる。
【０００５】
一般的に、点字表記では、分かち書き等の点字ルールに従う必要があること、また、点字は、ひらがな（カタカナ）等に対応し、かつ英数字や濁音との区別が必要であること等に起因して、点字表記は、墨字表記に比べて文字数（マス数）が多くなる傾向にある。すなわち、同一内容の文字列であっても、墨字表記と点字表記とで、文字や文字位置が異なる。このような場合、墨字関連表記および点字関連表記の一方のみに基づいて、ラベルイメージをスクロール表示させる構成とすると、他方の表記内容に整合させて、ラベルイメージをスクロール表示することができず不便である。また、墨字表記における文字列の長さと点字表記における文字列の長さが著しく異なっている場合に、墨字関連表記のみに基づいてラベルイメージをスクロール表示させる構成であると、（墨字表記の文字列長からはみ出した）点字の文字列の尾端側を示すラベルイメージを表示させることができない。
【０００６】
そこで、本発明は、墨字関連表記および点字関連表記のいずれに対しても、（複合ラベルの）ラベルイメージを整合させてスクロール表示することができ、また、墨字関連表記および点字関連表記における文字列長が異なる場合であってもラベルイメージ全体をスクロール表示可能なデータ表示装置のデータ表示方法、データ表示装置、これを備えたデータ生成装置、およびシート処理装置を提供することを課題としている。
【課題を解決するための手段】
【０００７】
本発明は、墨字文字と点字とから成る複合ラベルを作成するために用いられ、入力された墨字文字を所定の墨字関連領域に墨字表記する墨字関連表記と、入力された点字を所定の点字関連領域に点字表記する、または点字の墨字訳を点字関連領域に墨字表記する点字関連表記と、入力された墨字文字および点字に基づいて、作成される複合ラベルのラベルイメージを所定のプレビュー領域に表示するプレビュー表示と、を同一の表示画面上に表示させるデータ表示装置のデータ表示方法において、プレビュー表示をスクロールさせるためのカーソルを墨字関連領域および点字関連領域から成る入力文字表示領域上に表示させると共に、表示させたカーソルを移動させるカーソル表示工程と、カーソルのカーソル位置に基づいて、ラベルイメージを前記プレビュー表示させるプレビュー表示制御工程と、を備え、プレビュー表示制御工程は、カーソルが墨字関連表記上に位置するときには、カーソルが指し示す墨字文字のイメージがプレビュー領域の所定位置に表示されるように、ラベルイメージをプレビュー表示させ、カーソルが点字関連表記上に位置するときには、カーソルが指し示す点字または墨字訳に対応する点字のイメージがプレビュー領域の所定位置に表示されるように、ラベルイメージを前記プレビュー表示させることを特徴とする。
【０００８】
また、本発明は、墨字文字と点字とから成る複合ラベルを作成するために用いられ、入力された墨字文字を所定の墨字関連領域に墨字表記する墨字関連表記と、入力された点字を所定の点字関連領域に点字表記する、または点字の墨字訳を前記点字関連領域に墨字表記する点字関連表記と、入力された墨字文字および点字に基づいて、作成される複合ラベルのラベルイメージを所定のプレビュー領域に表示するプレビュー表示と、を同一の表示画面上に表示させるデータ表示装置において、プレビュー表示をスクロールさせるためのカーソルを墨字関連領域および点字関連領域から成る入力文字表示領域上に表示させると共に、表示させたカーソルを移動させるカーソル表示手段と、カーソルのカーソル位置に基づいて、ラベルイメージをプレビュー表示させるプレビュー表示制御手段と、を備え、プレビュー表示制御手段は、カーソルが墨字関連表記上に位置するときには、カーソルが指し示す墨字文字のイメージがプレビュー領域の所定位置に表示されるように、ラベルイメージをプレビュー表示させ、カーソルが点字関連表記上に位置するときには、カーソルが指し示す点字または墨字訳に対応する点字のイメージがプレビュー領域の所定位置に表示されるように、ラベルイメージをプレビュー表示させることを特徴とする。
【０００９】
これらの構成によれば、カーソルのカーソル位置に基づいて、ラベルイメージのプレビュー表示が制御される。そして、カーソル位置が墨字関連表記上に位置するときには、カーソルが指し示す墨字文字のイメージがプレビュー領域の所定位置に表示されるように、（複合ラベルの）ラベルイメージがプレビュー表示され、カーソルが点字関連表記上に位置するときには、カーソルが指し示す点字または墨字訳に対応する点字のイメージがプレビュー領域の所定位置に表示される。したがって、ユーザは、カーソルのカーソル位置と対応させてラベルイメージを把握することが可能である。また、墨字関連表記および点字関連表記における文字列の長さに関わらず、スクロールによりラベルイメージ全体を表示することができるため、ユーザの利便性を向上させることができる。
【００１０】
本発明は、上記に記載のデータ表示装置と、墨字文字を編集入力する墨字編集入力手段と、点字を編集入力する点字編集入力手段と、を備え、入力された墨字文字および点字に基づいて、複合ラベルを作成するためのラベルデータを生成するデータ生成装置において、カーソルは、墨字関連表記および点字関連表記における編集入力位置を指標しており、カーソルのカーソル位置に基づいて、墨字文字および点字のいずれが編集入力可能な状態であるかを指標表示する指標表示手段をさらに備えたことを特徴とする。
【００１１】
この構成によれば、カーソルのカーソル位置に基づいて為される指標表示により、墨字文字および点字のいずれが編集入力可能な状態であるかを容易に認識可能である。また、墨字文字および点字のいずれが編集入力可能であるかを容易に認識可能であるため、墨字関連表記では、文字の編集入力可能であり、点字関連表記では、文字の編集入力に制限があるような場合において、ユーザは、この指標表示により、文字の編集入力に制限があるか否かについても容易に把握することが可能となる。なお、指標表示の方法としては、点字関連表記が編集入力不能である旨のメッセージ表示や特定のマーク・記号を用いた表示、墨字関連表記と点字関連表記とを異なる表示形態で表示させる（たとえば、一方をポジ表示、他方をネガ表示する）等があげられる。
【００１２】
なお、この場合、指標表示手段は、指標表示として、点字関連表記をネガ表示させることが好ましい。この構成によれば、点字関連表記はネガ表示されるため、ネガ表示されている表記が点字関連表記であることを認識することができる。そして、点字関連表記の編集入力が制限されている（または不能である）ときに、ネガ表示と点字の編集入力が制限されていることを関連付けておくことにより、点字関連表記の編集入力が制限されていることを容易に認識することが可能である。
【００１３】
また、この場合、指標表示手段は、指標表示として、墨字関連表記上と点字関連表記上とでカーソルを異なる形状で表示させることが好ましい。この構成によれば、墨字関連表記と点字関連表記とは、異なる形状のカーソルで表示されるため、カーソルの形状に基づいて、墨字関連表記および点字関連表記のいずれがカーソルによって選択されているか、すなわち編集入力可能であるかを識別することができる。また、点字関連表記の編集入力が制限されている（または不能である）ときに、カーソルの形状と点字の編集入力が制限されていることを関連付けておくことにより、点字関連表記の編集入力が制限されていることを容易に認識することが可能である。
【００１４】
この場合、カーソルが点字関連表記上に位置するときに、所定の操作をトリガとして点字を一括削除する点字一括削除手段をさらに備えていることが好ましい。
【００１５】
この構成によれば、編集入力用カーソルが点字関連表記上に位置するときに、所定の操作を行うと、入力された点字を一括削除することができ、点字が不要になったときのユーザの操作性および利便性を向上させることができる。
【００１６】
本発明のシート処理装置は、上述のいずれかに記載のデータ生成装置と、入力された墨字文字に基づいて、処理シートに墨字印刷を行う印刷装置と、入力された点字に基づいて、処理シートに点字打刻を行う打刻装置と、を備えたことを特徴とする。
【００１７】
この構成によれば、本発明のシート処理装置は、ユーザにとって利便性の高い上述のいずれかに記載のラベルデータ作成装置を備えているため、効率よくラベルデータを作成することが可能であり、ユーザは所望とするラベル（複合ラベル）を効率よく作成することができる。
【発明を実施するための最良の形態】
【００１８】
以下、添付の図面に基づいて、本発明を適用して構成したラベル作成装置について説明する。このラベル作成装置は、卓上等に載置して用いられる比較的小型のものであり、処理テープに墨字印刷および点字打刻を行うことにより、晴眼者および視覚障害者の両方が認識可能な点字ラベルを作成するものである。より具体的には、処理テープに墨字印刷を行い、その印刷済み部分をカットしてラベルとなるテープ片を得た後、このテープ片に点字打刻を行うことにより、（点字）ラベルを作成する。
【００１９】
図１および図２に示すように、ラベル作成装置１は、処理テープＴに対して墨字印刷を行うと共に、処理テープＴから得られたテープ片Ｔａに対し点字打刻を行う装置本体２と、処理テープＴおよびインクリボンＲを収容し、装置本体２に着脱自在に装着されるテープカートリッジＣと、を備えている。
【００２０】
装置本体２は、装置ケース３により外殻が形成され、その内部に広く墨字印刷部６２が構成され、装置ケース３の後半部右部に点字打刻部６４が構成されている。装置ケース３の前半部上面には、文字キーおよび機能キー（選択キー、印刷キー、点訳キー、カーソルキー等）を含む各種キー４を備えたキーボード５が配設されている。装置ケース３の後半部上面には、開閉蓋７が広く設けられ、開閉蓋７の前側にはこれを開放する蓋体開放ボタン８が設けられている。蓋体開放ボタン８を押して開閉蓋７を開放すると、その内部には、テープカートリッジＣが装着されるカートリッジ装着部６が窪入形成されている。また、開閉蓋７の表側にはキーボード５からの入力結果等を表示する長方形のディスプレイ９が形成されている。
【００２１】
装置ケース３の左側部には、カートリッジ装着部６と装置外部とを連通する印刷テープ排出口１８が形成され、この印刷テープ排出口１８に臨んで装置ケース３には、処理テープＴを切断するためのカッタユニット３１が内蔵されている。カッタユニット３１は、印刷テープ排出口１８に臨むように配設されており、モータ駆動（フルカッタモータ３２）により、処理テープＴをハサミ形式で切断し、テープ片Ｔａを作成するフルカッタ３３と、フルカッタ３３に対してテープ送り方向下流側に配設され、モータ駆動（ハーフカッタモータ３４）により、後述する処理テープＴの記録テープＴｒのみを切断する（ハーフカット）、ストッパ付きハサミ形式のハーフカッタ３５と、を備えている。
【００２２】
一方、装置ケース３の後半部上面の右部には、点字打刻部６４が配設されている。点字打刻部６４には、点字打刻部６４の主体を為す打刻アッセンブリ４０を前後に挟んで、テープ片Ｔａの印刷面を上にして前方から手差し挿入する打刻テープ挿入部（シート挿入部）１１、および点字打刻されたテープ片Ｔａが後方に排出される打刻テープ排出部１２が形成されている。打刻テープ挿入部１１には、その幅を調整可能な手差しガイド１３が設けられている。なお、図１における符号１５は、打刻アッセンブリ４０を覆う打刻部カバーである。
【００２３】
装置ケース３の右側部には、電源供給のための電源供給口１６と、データ作成装置１等の外部装置と接続するためのＵＳＢコネクタ１７が形成されている。すなわち、ラベル作成装置１では、外部装置に接続し、外部装置によって生成された文字情報等に基づいて、墨字印刷や点字打刻を行うことができるようになっている。また、装置ケース３の内部には、装置本体２の統括制御する制御部６０を構成する回路基板（図示省略）が搭載されている。
【００２４】
カートリッジ装着部６には、発熱素子を有しヘッドカバー２０に覆われた印刷ヘッド２１（サーマルヘッド）と、後述するテープリール２６の位置決めをする位置決め突起２２と、テープカートリッジＣの処理テープＴおよびインクリボンＲを送り、印刷ヘッド２１に対峙するプラテン駆動軸（図示省略）、およびインクリボンＲを巻き取る巻取り駆動軸（図示省略）とが、突設されている。また、カートリッジ装着部６の隅部には、複数のマイクロスイッチで構成されたテープ識別センサ２３（図４参照）が設けられていると共に、カートリッジ装着部６の底板の内側には、プラテン駆動軸および巻取り駆動軸を駆動する印刷送りモータ２４（図４参照）や減速ギア列等（図示省略）が内蔵されている。
【００２５】
図２に示すように、テープカートリッジＣは、カートリッジケース２５の内部に、処理テープＴを巻回したテープリール２６と、右下部にインクリボンＲを巻回したリボン繰出しリール２７およびリボン巻取りリール３０とを収容して構成されている。また、テープリール２６の左下部には印刷ヘッド２１を覆うヘッドカバー２０に差し込むための貫通開口２８が形成されている。さらに、処理テープＴとインクリボンＲとが重なる部分に対応し、上記プラテン駆動軸に嵌合して回転駆動するプラテンローラ２９が配置されている。
【００２６】
処理テープＴは、裏面に粘着剤層が塗着されたＰＥＴ（ポリエチレンテレフタレート）製の記録テープＴｒと、この粘着剤層により記録テープＴｒに貼付されたＰＥＴ製の剥離テープＴｐと、から成り、ロール状に巻回されてカートリッジケース２５内に収容されている。処理テープＴには、テープ幅が異なる複数種のものが用意されており、カートリッジケース２５の裏面には、収容する処理テープＴの種別を識別するための複数の被検出孔（図示省略）が形成されている。
【００２７】
開閉蓋７を開放して、テープカートリッジＣをカートリッジ装着部６に装着すると、ヘッドカバー２０に貫通開口２８が、位置決め突起２２にテープリール２６が、巻取り駆動軸にリボン巻取りリール３０が、プラテン駆動軸にプラテンローラ２９が、それぞれ差し込まれると共に、テープ識別センサ２３により、カートリッジケース２５に形成された複数の被検出孔を検出可能となる。そして、この状態で開閉蓋７を閉蓋すると、これに連動して、印刷ヘッド２１が処理テープＴおよびインクリボンＲを挟み込んでプラテンローラ２９に当接し、印刷待機状態となる。
【００２８】
墨字印刷は、ラベルデータに含まれる印刷データに基づき、プラテン駆動軸および巻取り駆動軸を周期回転させて、処理テープＴおよびインクリボンＲを送りながら、印刷ヘッド２１を駆動することにより行われる。このとき、リボン繰出しリール２７から繰り出されたインクリボンＲは、貫通開口２８の開口壁を周回してリボン巻取りリール３０に巻き取られる。墨字印刷後の処理テープＴは、ハーフカッタ３５により、所定位置でハーフカットされた後、印刷済み部分がフルカッタ３３によりカットされ、カットされたテープ片Ｔａが印刷テープ排出口１８から外部に排出される。なお、ここでのハーフカットにより、テープ片Ｔａの、打刻アッセンブリ４０に対する手差し方向先端部に、（ハーフカットによる）捨て代部（図示省略）が形成される。
【００２９】
図３（ａ）に示すように、打刻アッセンブリ４０は、打刻テープ挿入部１１と打刻テープ排出部１２とを直線状に結ぶテープ走行路３６に臨んでおり、点字打刻を行うと共にテープ走行路３６の幅方向におけるカートリッジ装着部６側半部に寄せて配設した打刻ユニット４１（点字打刻手段）と、打刻テープ挿入部１１から手差し挿入されたテープ片Ｔａを、打刻テープ排出部１２に向かって送るテープ送りユニット４２とを備えている。
【００３０】
テープ送りユニット４２は、テープ片Ｔａを回転送りする送りローラ４４と、送りローラ４４を回動自在に軸支するローラ軸支部４５と、送りローラ４４を回転させる正逆回転可能な打刻送りモータ４３（図４参照）と、打刻送りモータ４３の動力を送りローラ４４に伝える動力伝達機構（図示省略）と、送られてくるテープ片Ｔａの先端を検出する先端検出機構４６とを備えている。打刻送りモータ４３が駆動すると、これに伴って動力伝達機構を介して送りローラ４４が回転し、テープ片Ｔａが送られる。そして、送られてゆくテープ片Ｔａの先端を先端検出機構４６が検出し、これをトリガとして、打刻ユニット４１により点字の打刻が開始される。
【００３１】
また、図３（ｂ）に示すように、打刻ユニット４１は、送りローラ４４に対しテープ送り方向の上流側に配設され、挿入したテープ片Ｔａの下側に配設した打刻部４７と、打刻部４７に対向する位置に設けられた打刻受け部５１とで構成されている。打刻部４７は、点字（６点点字）を構成する６個の打刻凸部のうち、縦列３個の打刻凸部に対応して配列された３個の打刻ピン４８と、３個の打刻ピン４８の打刻動作を進退自在に案内する打刻ガイドブロック４９と、駆動源となる３個のソレノイド５０と、を有している。打刻受け部５１は、３個の打刻ピン４８に対応する３個の受け溝５２が形成される。テープ送りユニット４２により、テープ片Ｔａを送りながら、３個のソレノイド５０を駆動源として３本の打刻ピン４８を受け溝５２に向かって選択的に跳ね上げて打刻動作をさせ、テープ片Ｔａにいわゆる６点点字の打刻凸部を形成する。
【００３２】
次に、図４を参照し、ラベル作成装置１の制御系の構成について説明する。ラベル作成装置１は、キーボード５およびディスプレイ９を有し、ユーザによる文字情報の入力や各種情報の表示等のユーザインターフェイスを司る操作部６１と、テープカートリッジＣ、印刷ヘッド２１および印刷送りモータ２４を有し、処理テープＴおよびインクリボンＲを送りながら処理テープＴ上に入力された文字情報に基づく印刷データを印刷する墨字印刷部６２と、フルカッタ３３、ハーフカッタ３５およびこれらを駆動するフルカッタモータ３２、ハーフカッタモータ３４を有し、印刷済みの処理テープＴにフルカット、ハーフカットを行う切断部６３と、を備えている。
【００３３】
さらにラベル作成装置１は、ソレノイド５０、打刻ピン４８および打刻送りモータ４３を有し、テープ片Ｔａを搬送しながらテープ片Ｔａに文字情報に基づくラベルデータに含まれる打刻データに従って点字打刻する点字打刻部６４と、テープ識別センサ２３や先端検出機構４６等の各種センサを有し、各種検出を行う検出部６５と、ディスプレイドライバ６６、ヘッドドライバ６７、印刷送りモータドライバ６８、カッタモータドライバ６９、打刻ドライバ７０および打刻送りモータドライバ７１を有し、各部を駆動する駆動部７２と、ラベル作成装置１全体を制御する制御部６０と、を備えている。
【００３４】
制御部６０は、ＣＰＵ７３、ＲＯＭ７４、ＲＡＭ７５および入力制御装置７６（ＩＯＣ：Input Output Controller）を備え、互いに内部バス７７により接続されている。制御部６０では、ＣＰＵ７３がＲＯＭ７４内の制御プログラムに従って、ＩＯＣ７６を介してラベル作成装置１内の各部から各種信号・データを入力すると共に、入力した各種信号・データに基づいて、ＲＡＭ７５内の各種データを処理し、ＩＯＣ７６を介してラベル作成装置１内の各部に各種信号データを出力することにより、各部を制御するようになっている。
【００３５】
例えば、制御部６０（ＲＯＭ７４）には、ラベルデータを作成するためのソフトウェア（データ作成プログラム）が記憶されており、データ作成装置１の電源をＯＮすると、データ作成プログラムに基づいて制御部６０が操作部６１の制御を行い、ディスプレイ９に文字情報や各種設定データ等の入力データを入力するための入力画面が表示される。そして、制御部６０が、入力画面から入力された入力データをデータ作成プログラムに基づいて処理（ラベル作成処理）することにより、ラベルデータとなる印刷データおよび／または打刻データが作成される。
【００３６】
ここで、ラベルデータの作成方法について説明する。上記データ作成プログラムでは、入力データの入力モードとして、印刷データを作成するための文字情報・各種設定データ（以下印刷用入力データとする）を入力する「印刷用入力モード」、打刻データを作成するための文字情報・各種設定データ（以下点字用入力データとする）を入力する「点字用入力モード」が用意されており、各入力モード専用の入力画面から、入力データとなる印刷用入力データおよび点字用入力データがそれぞれ入力されるようになっている。
【００３７】
なお、入力モードの設定は、モード選択メニューにより行われ、各モードの入力画面が表示されている状態で所定のキー操作を行うと、モード選択メニューが表示されるようになっている（図５（ｃ）参照）。
【００３８】
そして、モード選択メニューで「印刷用入力モード」が選択されると、印刷用入力データの文字情報を文字入力可能な、印刷用入力モードの入力画面１０１が表示される。本実施形態では、「印刷用入力モード」がデフォルトとして設定されており、装置の電源ＯＮ時等には、印刷用入力モードの入力画面１０１が表示される。図５（ａ）および（ｂ）に示すように、印刷用入力モードの入力画面１０１は、ラベルに印刷する印刷文字（数字、図形等を含む）を文字入力するために用いられ、入力した文字を墨字表記で表示する印刷用文字入力部１０２と、文字の入力位置を指標する、縦棒形状のカーソル１１１と、を有しており、ここでの文字入力に基づいて印刷用入力データが作成される。印刷用文字入力部１０２には、先ず行番号１１２が表示され、入力文字は、行番号１１２の後ろに続けて入力される。これにより、ユーザは、入力する（または入力した）印刷文字が何行目に属するかを容易に認識できるようになっている。
【００３９】
また、同図に示すように、印刷用入力モードの入力画面１０１は、印刷用文字入力部１０２から入力した文字（印刷文字）に基づいて、表示領域１１３にラベルイメージ１１４を表示するイメージ表示部１０３と、作成されるラベルのラベルサイズ（縦×横のそれぞれの長さ）を表示するサイズ表示部１０４と、を有している。
【００４０】
このラベル作成装置のように比較的小型なものでは、ディスプレイ９の大きさも小型であり、印刷用文字入力部１０２に表示可能な文字数、およびラベルイメージ１１４を表示させるイメージ表示部１０３の表示領域１１３は限定されている。そこで、印刷用文字入力部１０２およびイメージ表示部１０３は、スクロール可能に入力文字およびラベルイメージ１１４を表示することにより、ラベルイメージ１１４全体を把握できるようにしている。
【００４１】
そして、作成されたラベルイメージ１１４がイメージ表示部１０３の表示領域１１３に収まらないときには、ラベルイメージ１１４の一部分を部分表示させ、印刷用文字入力部１０２におけるカーソル位置に基づいて、ラベルイメージ１１４をスクロールさせるようになっている。すなわち、印刷用文字入力部１０２上でカーソル１１１が指す位置が、表示領域１１３の所定位置で（本実施形態では、カーソル１１１の右隣の文字が表示領域１１３の尾端に位置するように）表示され、例えば、印刷用文字入力部１０２上でカーソル１１１を右に移動させると、ラベルイメージ１１４も右にスクロールされ、カーソル１１１を左に移動させると、ラベルイメージ１１４も左にスクロールされるといったように、印刷用文字入力部１０２上におけるカーソル１１１の移動に追従してラベルイメージ１１４がスクロールされる。
【００４２】
一方、モード選択メニューで「点字用入力モード」が選択されると、点字用入力データの文字情報を文字入力可能な、点字用入力モードの入力画面１２１が表示される。図５（ｄ）および（ｆ）に示すように、点字用入力モードの入力画面１２１は、ラベルに打刻する点字を文字入力するために用いられ、入力した文字を墨字表記で表示する点字用文字入力部１２２と、文字の入力位置を指標するカーソル１１１と、点字用文字入力部１２２から入力した文字の点訳結果を点字表記する点訳点字表記部１２３と、点訳（点字表記）された点字の墨字訳を表記する墨字訳表記部１２４と、を有している。点字用文字入力部１２２から文字を入力した後、所定のキー操作（例えば、点訳キーの押下）を行うと、入力した文字に基づいて、点字用入力データとなる（点字ルールに従って分かち書きされた）点訳データが作成される。この点訳データに基づいて、点訳点字表記部１２３には、点字用文字入力部１２２に墨字表記されている入力文字を点訳したときの点字表記が表示され、墨字訳表記部１２４には、その墨字訳がカタカナ表示される。
【００４３】
なお、本実施形態では、点字用入力データの文字情報の文字入力（削除等の編集も含め）は、点訳点字表記部１２３および墨字訳表記部１２４からはできないようになっている。そこで、カーソル１１１は、点字用文字入力部１２２、点訳点字表記部１２３、および墨字訳表記部１２４のいずれに対しても移動することが可能であるが、カーソル１１１が点訳点字表記部１２３または墨字訳表記部１２４上に位置する場合には、その表示を白黒反転させネガ表示することにより、これら点訳点字表記部１２３および墨字訳表記部１２４が編集入力不能であることを指標するようになっている。さらに、カーソル１１１も、複数の白い点を縦に整列させた形状で表示され、点訳点字表記部１２３および墨字訳表記部１２４が編集入力不能であることを指標するようになっている。（なお、ここでの表示方法は、後述する入力点字表示部１３１にカーソル１１１を合わせたときの表示方法（図７（ｂ）〜（ｄ）参照）と略同様である）。
【００４４】
そして、（各入力モードの）入力画面１０１，１２１から入力データを入力した後、所定のキー操作を行うと、制御部６０によりラベルデータ作成処理が為され、入力データに基づいてラベルデータが作成される。このとき、入力データとして、印刷用入力データおよび点字用入力データが入力されている場合には、墨字印刷および点字打刻の両方を行ったラベル（墨字・点字併記ラベル）を作成するためのラベルデータが作成される。すなわち、ラベルデータとして、印刷用入力データから印刷データが作成されると共に、点字用入力データから打刻データが作成される。
【００４５】
なお、墨字・点字併記ラベルのラベルデータを作成するにあたり、印刷用入力データおよび点字用入力データのいずれを先に入力するかは任意である。また、モード選択メニューで入力モードを適宜切り替えながら、入力データを入力していくことも可能である。
【００４６】
また、ラベルデータ作成処理の実行時に、点字用入力データの入力が無く、入力データとして印刷用入力データのみが入力されている場合には、ラベルデータとして印刷データのみが作成され、墨字印刷のみのラベル（墨字ラベル）を作成するためのラベルデータが作成される。同様に、印刷用入力データの入力が無く、入力データとして点字用入力データのみが入力されている場合には、ラベルデータとして打刻データのみが作成され、点字打刻のみのラベル（点字ラベル）を作成するためのラベルデータが作成される。
【００４７】
ところで、印刷用入力モードの入力画面１０１において、上述のイメージ表示部１０３に表示されるラベルイメージ１１４は、入力データに基づいて作成されるラベルのラベルイメージ１１４を示すものであり、印刷用入力モードの入力画面１０１が表示されたときに、入力データとして点字データが既に入力されていた場合、イメージ表示部１０３には、入力されている点字データに基づいてラベル上に打刻される点字の打刻イメージがラベルイメージ１１４として表示されるようになっている。そして、この状態で、印刷用文字入力部１０２から印刷文字を文字入力すると、入力した印刷用入力データおよび点字用入力データの両方に基づいて作成され、墨字印刷される印刷文字および点字打刻される点字を併記したラベルイメージ１１４が表示される（図６ないし図８参照）。
【００４８】
印刷文字および点字を併記させたラベルイメージ１１４もスクロール可能に表示されるが、この場合、印刷文字による文字列と点字による文字列との長さが異なるときや、ラベルにおける印刷文字と点字とのレイアウトに仕方によって、ラベルイメージ１１４全体をスクロール表示させることができない場合が生じる。
【００４９】
すなわち、本実施形態のスクロール表示は、カーソル１１１が指す位置が、表示領域１１３の所定位置に表示されるようラベルイメージ１１４をスクロールするものであり、印刷用文字入力部１０２におけるカーソル位置に基づいてのみ、ラベルイメージ１１４をスクロール表示させる構成とすると、ラベルの前後方向（読み方向）において、印刷文字よりも点字がはみ出す場合、例えば、印刷文字の文字列長に比べて点字の文字列長が長い場合や、印刷文字の文字列に対して、点字の文字列をその前側（または後ろ側）にレイアウトした場合には印刷文字からはみ出した点字部分を表示させることができない。なお、本実施形態において、カーソル１１１の移動は、キーボード５に設けられたカーソルキーにより行うものとする。
【００５０】
特に、点字の表記は、かなに対応して表記されること、英数字や濁音との区別のための符号があること、点字ルールに従い分かち書きが為されること等の理由に起因して、同一内容の表記であっても、点字の方が墨字文字（印刷文字）よりも長くなることが多く、印刷文字からはみ出した点字部分を表示させることができないと、ユーザの利便性を著しく損ねてしまう。
【００５１】
そこで、本実施形態のラベル作成装置では、印刷用入力モードの入力画面１０１が表示されたときに、入力データとして点字用入力データ（点字データ）が既に入力されていた場合、印刷用入力モードの入力画面１０１に、この点字データに基づいて打刻される点字の墨字訳をカタカナ表示する入力点字表示部１３１（点字関連領域）が（印刷用文字入力部１０２（墨字関連領域）とイメージ表示部１０３との間に）印刷用入力モードの入力画面１０１上に挿入されるようになっている（図６ないし図８参照）。そして、印刷用文字入力部１０２におけるカーソル１１１の移動に対応させて、スクロール表示できることに加え、さらに、入力点字表示部１３１におけるカーソル位置の移動にも対応させて、ラベルイメージ１１４をスクロール表示させることが可能となっている。
【００５２】
なお、このように、印刷用入力モードの入力画面１０１において、点字を示したラベルイメージ１１４を表示させると、ユーザは、印刷用入力モードの入力画面１０１からでも、既に点字データが入力されていること、およびその内容を把握することができるという利点も生じる。
【００５３】
先ず、入力点字表示部１３１について説明する。図６ないし図７に示すように、入力点字表示部１３１は、印刷用文字入力部１０２の上側に配置され、印刷用文字入力部１０２と上下に並んで表示される。入力点字表示部１３１には、印刷用文字入力部１０２の行番号１１２の表示位置に対応して、点字データに基づく表示であることを指標する点字マーク１３２（１点字を構成する６個の点を示した点字マスイメージ）が表示され。この点字マーク１３２の後に墨字訳が表示される。これにより、ユーザは、入力点字表示部１３１に表示された点字の墨字訳と、印刷用文字入力部１０２に入力された印刷文字とを、区別することが可能である。
【００５４】
入力点字表示部１３１において表示される墨字訳は、上述の墨字訳表記部１２４に表示される内容と同内容である。そして、図６ないし図７に示すように、分かち書き等のために、１マス空いている部分には、これに対応してスペースを指標するスペースマーク１３３が表示される。なお、上述したように、本実施形態では、印刷文字の入力と点字の入力とは、異なる入力モードで行うよう構成されており、印刷用入力モードの入力画面１０１上から、入力点字表示部１３１に表示されている内容（点字データ）を、修正・変更、または新たな点字の入力をすることはできないようになっている。
【００５５】
但し、作成するラベルに点字を打刻する必要が無くなった等の場合に、点字データが必要ではないのに、入力モードを点字用入力モード切り替え、さらに点字用文字入力部１２２に入力されていた文字を削除した上で再度入力モードを印刷用入力モードに切り替えるという操作を行うのは煩雑であるので、印刷用入力モードの入力画面１０１上から所定の操作を行うことにより、点字データの一括削除を行うことは可能に構成されている。
【００５６】
次に、図６ないし図７を参照して、印刷用入力データとして、「源氏物語」、点字用入力データとして、「ゲンジ  モノガタリ」が入力されている場合を例に、入力データとして、印刷用入力データおよび印刷用入力モードが入力されているときにおける印刷用入力モードの入力画面１０１でのラベルイメージ１１４のスクロールについて具体的に説明する。
【００５７】
印刷用入力データとして、「源氏物語」、点字用入力データとして、「ゲンジ  モノガタリ」が入力されている場合、印刷用文字入力部１０２では、行番号１１２に続いて「源氏物語」と表示される。同様に、入力点字表示部１３１でも、点字マークに続いて「ゲンジ  モノガタリ」と表示されるが、「ゲンジ」と「モノガタリ」とで分かち書きされているため、この間には、「ゲンジ」と「モノガタリ」との間には、スペースマーク１３３が挿入されている。
【００５８】
そして、イメージ表示部１０３には、墨字文字と点字を上下方向に併記させたラベルイメージ１１４が表示される。本実施形態では、カーソル１１１が指す文字の位置がイメージ表示部１０３の表示領域１１３の所定位置に表示されるように設定されており、図６（ａ）では、印刷用文字入力部１０２の「源」の字の前側（図示左側）にカーソル１１１が位置しているため、「源」の字が表示領域１１３の所定位置に位置するように（本実施形態では、表示領域１１３の尾端に位置するように）、ラベルイメージ１１４が表示されている。なお、図示では、墨字文字を点字の上側にレイアウトして表示させているが、墨字文字および点字のレイアウトは、各モードの入力画面１０１，１２１から適宜編集可能である。
【００５９】
先ず、印刷用文字入力部１０２にカーソル１１１を合わせて、ラベルイメージ１１４をスクロールさせる場合について説明する。図６（ａ）の状態から、カーソル１１１を１字ずつ右（左）に移動させていくと、ラベルイメージ１１４も１字ずつ右（左）側にずれていく（図６（ｂ）および（ｃ）参照）。そして、カーソル１１１が「語」の字の右側、すなわち印刷用文字入力部１０２に入力されている文字列の尾端側、に位置しているとき（図６（ｃ）の状態）に、さらにカーソル１１１を右に移動させようとすると、カーソル１１１は、印刷用文字入力部１０２に入力されている文字列の先頭側に移動し、ラベルイメージ１１４もこれに従って図６（ａ）のように表示される。
【００６０】
続いて、図７を参照して、入力点字表示部１３１にカーソル１１１を合わせて、ラベルイメージ１１４をスクロールさせる場合について説明する。図７（ａ）の状態において、印刷用文字入力部１０２から（キー操作により、）入力点字表示部１３１にカーソル１１１を移動させると、図７（ｂ）に示すように、入力点字表示部１３１の白黒が反転し、入力点字表示部１３１に表示されている墨字訳がネガ表示される。このようにカーソル１１１が印刷用文字入力部１０２上に位置するときと、入力点字表示部１３１上に位置するときとで、異なる表示形態とすることにより、カーソル１１１が印刷用文字入力部１０２および入力点字表示部１３１のいずれに位置するかを指標表示するようになっている。そして、上述したように、本実施形態では、入力点字表示部１３１から、既に入力されている点字の修正や新たな点字の入力はできないため、カーソル１１１が入力点字表示部１３１上に位置するときに、このようなネガ表示（指標表示）をさせることにより、入力点字表示部１３１に表示されている墨字訳が変更できないことを容易に認識可能となっている。
【００６１】
さらに、入力点字表示部１３１上のカーソル１１１は、印刷用文字入力部１０２上での縦棒状のカーソル１１１を単純に白抜き表示したものではなく、複数（４つ）の白い点を縦に整列させたもので表示される（図７（ｂ）〜（ｄ）参照）。このように、印刷用文字入力部１０２上のカーソル１１１と入力点字表示部１３１上のカーソル１１１との形状を変えることにより、入力点字表示部１３１に表示されている墨字訳を変更できないことを併せて指標するようになっている。
【００６２】
入力点字表示部１３１においても、カーソル１１１の移動と、ラベルイメージ１１４の移動の関係も印刷用文字入力部１０２の場合と略同様であり、カーソル１１１が指す墨字訳のカタカナ文字に対応する点字の位置がイメージ表示部１０３の表示領域１１３の所定位置、すなわち、カーソル１１１の右隣のカタカタ文字に対応する点字が表示領域１１３の尾端に位置するように表示される。そして、カーソル１１１を移動させ、カーソル１１１が指す墨字訳のカタカナ文字を（右または左方向に）１字ずつずらしていくと、ラベルイメージ１１４の表示もこれに対応して１マスずつスクロールされる。
【００６３】
もっとも、濁音や半濁音のように、点字２マスで墨字訳の１文字に対応するような文字や、外字符や数字符が挿入される英数文字をカーソル移動させると、入力点字表示部１３１のカーソル１１１の移動文字数は１文字であっても、ラベルイメージ１１４のスクロール量は２マス分となる。例えば、図７（ｂ）の状態から、「ゲ」とカーソル１１１を右側に移動させていくと、「ン」の点字マスに対応して１マス、「ン」とカーソル１１１を右側に移動させていくと「ジ」の点字マスに対応して２マスのスクロール量となる（図７（ｃ）および（ｄ）参照）。
【００６４】
そして、入力点字表示部１３１でカーソル１１１をさらに移動させ、図８（ａ）に示すように、カーソル１１１が「リ」の右側、すなわち入力点字表示部１３１に表示されている墨字訳の尾端側、に位置しているときに、さらにカーソル１１１を右に移動させようとすると、図８（ｂ）に示すように、カーソル１１１は、入力点字表示部１３１に表示されている墨字訳の文字列の先頭側に移動し、ラベルイメージ１１４もこれに従ってスクロールされる。
【００６５】
一方、カーソル１１１が「リ」の右側に位置しているときに、所定のキー操作を行うと、このキー操作をトリガとして点字データの一括削除処理が開始され、点字データが一括削除される。そして、図８（ｃ）に示すように、点字データが一括削除はラベルイメージ１１４にも反映され、点字イメージが削除されたラベルイメージ１１４が表示される。
【００６６】
以上のように、本発明を適用したテープ処理装置１によれば、印刷用文字入力部１０２および入力点字表示部１３１におけるカーソル位置に基づいて、ラベルイメージ１１４をスクロールさせることができるので、印刷用文字入力部１０２および入力点字表示部１３１との間で文字数が異なる場合であっても、ラベルイメージ１１４の全体を表示させることができユーザの利便性を向上させることができる。さらに、ユーザが所望とする部分にカーソル位置を合わせることにより、これに対応する部分のラベルイメージ１１４を整合させて表示することが可能であり、ユーザは、印刷用文字入力部１０２および入力点字表示部１３１に表示されている文字とラベルイメージ１１４とを整合させて把握することが可能である。
【００６７】
さらに、印刷用入力モードの入力画面１０１では、入力点字表示部１３１に表示されている墨字訳の変更を行えないため、カーソル１１１を入力点字表示部１３１に移動させたときにその表示をネガ表示とし、カーソル１１１が位置するときの表示形態を、入力・編集可能な印刷用文字入力部１０２とは異なる表示形態としたので、ユーザは、入力点字表示部１３１が入力・編集可能な領域であることを容易に認識することができる。
【００６８】
なお、上述した実施例によらず、ラベル作成装置１の装置構成等について、本発明の要旨を逸脱しない範囲で、適宜変更も可能であることは言うまでもない。例えば、本実施形態では、入力点字表示部１３１に、入力された点字の墨字訳をカタカナ表示させるようにしたが、ここに入力された点字の点字表記を表示させることも当然に可能である。
【００６９】
また、本実施形態では、入力点字表示部１３１の墨字訳に対応させてラベルイメージ１１４の表示をスクロールさせるときに、墨字訳の１文字に対してこれに対応する点字マス数分スクロールさせる構成としているが、墨字訳の文字数と、
当該墨字訳に対応する点字のマス数の割合に基づいて、ラベルイメージ１１４の表示を均等にスクロールさせるようにしてもよい。例えば、「ゲンジ」という墨字訳の３文字は、５個の点字マスを用いて表記され、墨字１文字に対し、５／３点字マスが対応する。したがって、この場合、例えば、入力点字表示部１３１において、「ゲ」、「ン」、「ジ」と順にカーソル１１１をスクロールさせると、ラベルイメージ１１４の表示が、５／３点字マス分ずつスクロールする。これにより、入力点字表示部１３１においてカーソル１１１が指す墨字訳の文字と、ラベルイメージ１１４の点字（マス）の位置を整合させることが可能となる。
【図面の簡単な説明】
【００７０】
【図１】ラベル作成装置の閉蓋状態の外観斜視図である。
【図２】ラベル作成装置の開蓋状態の外観斜視図である。
【図３】打刻ユニットの平面図および断面図である。
【図４】ラベル作成装置の制御ブロック図である。
【図５】印刷用入力モードの入力画面（a）から印刷用の文字入力を行った後（ｂ）、モード選択メニュー（ｃ）を用いて、点字用入力モードの入力画面に切り替え（ｄ）、点字用の文字入力を行った（ｅ）ときの画面遷移を示した図である。
【図６】印刷用文字入力部にカーソルを合わせて、ラベルイメージをスクロールさせる場合の説明図であり、スクロール時の画面遷移を示した図である。
【図７】入力点字表示部にカーソルを合わせて、ラベルイメージをスクロールさせる場合の説明図であり、スクロール時の画面遷移を示した図である。
【図８】入力点字表示部の尾端にカーソルが位置するときに為される動作の説明図であり、（ａ）は、入力点字表示部の尾端にカーソルが位置するときの画面説明図、（ｂ）は、（ａ）の状態でカーソルをさらに右に移動させたときの画面説明図、（ｃ）は、（ａ）の状態で所定の操作を行い、点字データを一括消去させたときの画面説明図である。
【符号の説明】
【００７１】
１  ラベル作成装置                  ９  ディスプレイ
２１  印刷ヘッド                    ４０  打刻アッセンブリ
６０  制御部                      １０２  印刷用文字入力部
１１１  カーソル                    １０３  イメージ表示部
１１３  表示領域                    １１４  ラベルイメージ
１３１  入力点字表記部
【図１】
2006289796.tif 000003
【図２】
2006289796.tif 000004
【図３】
2006289796.tif 000005
【図４】
2006289796.tif 000006
【図５】
2006289796.tif 000007
【図６】
2006289796.tif 000008
【図７】
2006289796.tif 000009
【図８】
2006289796.tif 000010